(57)【要約】【課題】  モニタの性能を統一基準でランク付けする技術を提供する。【解決手段】  所定色に対応する基準色情報を予め格納する基準色情報格納手段と、色差の程度によって区分けされたランクテーブルを予め格納するランクテーブル格納手段と、前記所定色の有彩色画像データに基づく色が表示されるモニタと、前記有彩色画像データに基づく色が表示された前記モニタを測色して表示色情報を取得する測色手段と、前記基準色情報と前記表示色情報との色差を算出する算出手段と、前記算出された色差に基づいて、前記ランクテーブルを参照し、前記モニタの色再現性をランク付けするランク付け手段と、を備えるようにする。【選択図】      図７
2006166123.tif 000002
【特許請求の範囲】
【請求項１】
所定色に対応する基準色情報を予め格納する基準色情報格納手段と、
色差の程度によって区分けされたランクテーブルを予め格納するランクテーブル格納手段と、
前記所定色の有彩色画像データに基づく色が表示されるモニタと、
前記有彩色画像データに基づく色が表示された前記モニタを測色して表示色情報を取得する測色手段と、
前記基準色情報と前記表示色情報との色差を算出する算出手段と、
前記算出された色差に基づいて、前記ランクテーブルを参照し、前記モニタの色再現性をランク付けするランク付け手段と、
を備えること、
を特徴とするモニタ検証システム。
【請求項２】
前記基準色情報格納手段と前記算出手段と前記ランクテーブル格納手段と前記ランク付け手段とを有するサーバと、
前記モニタと前記測色手段とを有する複数の端末と、
を備え、
前記複数の端末のうち、一の端末から前記表示色情報が前記サーバに送信されると、
前記サーバより前記表示色情報を送信した端末へ前記ランク付けの結果を返すこと、
を特徴とする請求項１記載のモニタ検証システム。
【請求項３】
前記基準色情報は、
基準有彩色画像データに基づく印刷物を測色して得られたものであること、
を特徴とする請求項１記載のモニタ検証システム。
【請求項４】
前記有彩色画像データは、
前記基準有彩色画像データに対して、当該基準有彩色画像データが有する色と前記印刷物が有する色とを一致させる色変換を施して生成されたものであること、
を特徴とする請求項３に記載のモニタ検証システム。
【請求項５】
ネットワークを介して接続される複数の端末とサーバを備え、
前記端末は、
所定色の有彩色画像データに基づく色が表示されるモニタと、
前記有彩色画像データに基づく色が表示された前記モニタを測色して表示色情報を取得する測色手段と、
を備え、
前記サーバに前記表示色情報を送信し、
前記サーバは、
前記所定色に対応する基準色情報を予め格納する基準色情報格納手段と、
色差の程度によって区分けされたランクテーブルを格納するランクテーブル格納手段と、
前記端末毎の測色手段固有の測色特性を補正する補正情報を予め格納する補正情報格納手段と、
前記補正情報により前記表示色情報を補正する補正手段と、
前記基準色情報と前記補正手段により補正された表示色情報との色差を算出する算出手段と、
前記算出された色差に基づいて、前記ランクテーブルを参照し、測色されたモニタをランク付けするランク付け手段と、
を備えること、
を特徴とするモニタ検証システム。
【請求項６】
所定色に対応する基準色情報を予め格納しておき、
色差の程度によって区分けされたランクテーブルを予め格納しておき、
モニタに前記所定色の有彩色画像データに基づく色を表示させ、
前記有彩色画像データに基づく色が表示された前記モニタを測色して表示色情報を取得し、
前記基準色情報と前記表示色情報との色差を算出し、
前記算出された色差に基づいて、前記ランクテーブルを参照し、前記モニタをランク付けすること、
を特徴とするモニタ検証方法。
【請求項７】
前記基準色情報は、
基準有彩色画像データに基づく印刷物を測色して得られたものであること、
を特徴とする請求項６記載のモニタ検証方法。
【請求項８】
前記有彩色画像データは、
前記基準有彩色画像データに対して、当該基準有彩色画像データが有する色と前記印刷物が有する色とを一致させる色変換を施して生成されたものであること、
を特徴とする請求項７に記載のモニタ検証方法。
【請求項９】
所定色に対応する基準色情報を予め格納しておき、
モニタに前記所定色の有彩色画像データに基づく色を表示させ、
前記有彩色画像データに基づく色が表示された前記モニタを測色して表示色情報を取得し、
前記測色の特性を補正する補正情報を予め格納しておき、
前記補正情報により前記表示色情報を補正し、
前記基準色情報と補正された表示色情報との色差を算出し、
色差の程度によって区分けされたランクテーブルを予め格納しておき、
前記算出された色差に基づいて、前記ランクテーブルを参照し、前記モニタをランク付けすること、
を特徴とするモニタ検証方法。
【請求項１０】
モニタを測色手段により測色することで当該モニタの表示色情報を得る端末とネットワークを介して接続されるとともに、所定色に対応する基準色情報を予め格納する基準色情報格納手段と、色差の程度によって区分けされたランクテーブルを格納するランクテーブル格納手段とを備えるサーバを、
前記表示色情報と前記基準色情報との色差を算出する算出手段と、
前記算出された色差に基づいて、前記ランクテーブルを参照し、前記モニタをランク付けするランク付け手段と、
して機能させること、
を特徴とするモニタ検証プログラム。
【請求項１１】
前記端末毎の前記測色手段固有の測色特性を補正する補正情報を予め格納する補正情報格納手段を更に備える前記サーバを、
前記補正情報により前記表示色情報を補正する補正手段と、
前記基準色情報と前記補正手段により補正された表示色情報との色差を算出する算出手段と、
してさらに機能させること、
を特徴とする請求項１０記載のモニタ検証プログラム。
【発明の詳細な説明】
【技術分野】
【０００１】
本発明は、モニタの発色性能を検証するモニタ検証技術に関する。
【背景技術】
【０００２】
従来、印刷写真原稿を入稿する前に、その印刷写真原稿のリバーサルフィルムをビューアを用いて確認することが行われていた。この確認に用いるビューアは、光源の白色ポイントの色温度が５０００Ｋ（ケルビン）に統一されているので、色の見え方の統一性は確保されていた。
【０００３】
一方、近年のデジタルカメラの普及により、リバーサルフィルムに代わりデジタルデータ（画像データ）での入稿が一般化してきた。デジタルデータによる印刷写真原稿の確認は、デジタルデータに基づく画像をモニタ等のモニタに表示して行われる。この場合、色の見え方は使用するモニタに依存するので、システム内のモニタの色管理をモニタの表示する有彩色を測定してカラー画像表示性能を評価することにより行い、モニタの表示する色について高い色再現性を実現することができるようにするものがある（例えば、特許文献１参照。）。
【０００４】
【特許文献１】特開２００３−２４１７３２号公報
【発明の開示】
【発明が解決しようとする課題】
【０００５】
ところが、モニタの色再現範囲は個々のモニタの方式や性能で異なるので、例えば、複数の拠点の各モニタに同じデジタルデータの画像を表示させて双方で画像の色についての評価を行う場合に、色再現範囲の違いにより表示色が異なることがある。そして、この表示色の違いによる問題が発生する場合がある。この問題を解決するため、モニタの色再現範囲を統一することが必要であるが、共通の指標がないため、モニタが標準に対してどのような性能を有するか確認することができなかった。
【０００６】
本発明は、上記事情に鑑みてなされたものであり、その目的とするところは、システム内のモニタのカラー画像表示性能を統一基準でランク付けする技術を提供することにある。
【課題を解決するための手段】
【０００７】
上記課題を解決するために、請求項１記載の発明は、所定色に対応する基準色情報を予め格納する基準色情報格納手段と、色差の程度によって区分けされたランクテーブルを予め格納するランクテーブル格納手段と、前記所定色の有彩色画像データに基づく色が表示されるモニタと、前記有彩色画像データに基づく色が表示された前記モニタを測色して表示色情報を取得する測色手段と、前記基準色情報と前記表示色情報との色差を算出する算出手段と、前記算出された色差に基づいて、前記ランクテーブルを参照し、前記モニタの色再現性をランク付けするランク付け手段と、を備えること、を特徴とする。
【０００８】
また、請求項５記載の発明は、ネットワークを介して接続される複数の端末とサーバを備え、前記端末は、所定色の有彩色画像データに基づく色が表示されるモニタと、前記有彩色画像データに基づく色が表示された前記モニタを測色して表示色情報を取得する測色手段と、を備え、前記サーバに前記表示色情報を送信し、前記サーバは、前記所定色に対応する基準色情報を予め格納する基準色情報格納手段と、色差の程度によって区分けされたランクテーブルを格納するランクテーブル格納手段と、前記端末毎の測色手段固有の測色特性を補正する補正情報を予め格納する補正情報格納手段と、前記補正情報により前記表示色情報を補正する補正手段と、前記基準色情報と前記補正手段により補正された表示色情報との色差を算出する算出手段と、前記算出された色差に基づいて、前記ランクテーブルを参照し、測色されたモニタをランク付けするランク付け手段と、を備えること、を特徴とする。
【０００９】
また、請求項６記載の発明は、所定色に対応する基準色情報を予め格納しておき、色差の程度によって区分けされたランクテーブルを予め格納しておき、モニタに前記所定色の有彩色画像データに基づく色を表示させ、前記有彩色画像データに基づく色が表示された前記モニタを測色して表示色情報を取得し、前記基準色情報と前記表示色情報との色差を算出し、前記算出された色差に基づいて、前記ランクテーブルを参照し、前記モニタをランク付けすること、を特徴とする。
【００１０】
また、請求項９記載の発明は、所定色に対応する基準色情報を予め格納しておき、モニタに前記所定色の有彩色画像データに基づく色を表示させ、前記有彩色画像データに基づく色が表示された前記モニタを測色して表示色情報を取得し、前記測色の特性を補正する補正情報を予め格納しておき、前記補正情報により前記表示色情報を補正し、前記基準色情報と補正された表示色情報との色差を算出し、色差の程度によって区分けされたランクテーブルを予め格納しておき、前記算出された色差に基づいて、前記ランクテーブルを参照し、前記モニタをランク付けすること、を特徴とする。
【００１１】
また、請求項１０記載の発明は、モニタを測色手段により測色することで当該モニタの表示色情報を得る端末とネットワークを介して接続されるとともに、所定色に対応する基準色情報を予め格納する基準色情報格納手段と、色差の程度によって区分けされたランクテーブルを格納するランクテーブル格納手段とを備えるサーバを、前記表示色情報と前記基準色情報との色差を算出する算出手段と、前記算出された色差に基づいて、前記ランクテーブルを参照し、前記モニタをランク付けするランク付け手段と、して機能させること、を特徴とする。
【００１２】
また、前記基準色情報格納手段と前記算出手段と前記ランクテーブル格納手段と前記ランク付け手段とを有するサーバと、前記モニタと前記測色手段とを有する複数の端末と、を備え、前記複数の端末のうち、一の端末から前記表示色情報が前記サーバに送信されると、前記サーバより前記表示色情報を送信した端末へ前記ランク付けの結果を返すようにしてもよい（請求項２記載の発明に相当）。
【００１３】
また、前記基準色情報は、前記有彩色画像データに基づく印刷物を測色して得られたものとすることができる（請求項３、７記載の発明に相当）。
【００１４】
また、前記有彩色画像データは、
前記基準有彩色画像データに対して、当該基準有彩色画像データが有する色と前記印刷物が有する色とを一致させる色変換を施して生成されたものとすることができる（請求項４、８記載の発明に相当）。
【００１５】
また、前記端末毎の前記測色手段固有の測色特性を補正する補正情報を予め格納する補正情報格納手段を更に備える前記サーバを、前記補正情報により前記表示色情報を補正する補正手段と、前記基準色情報と前記補正手段により補正された表示色情報との色差を算出する算出手段と、してさらに機能させるようにしてもよい（請求項１１記載の発明に相当）。
【発明の効果】
【００１６】
本発明のモニタ検証技術は、所定色に対応する基準色情報を予め格納しておき、モニタに前記所定色を有する有彩色画像データを表示させ、前記有彩色画像データが表示された前記モニタを測色して表示色情報を取得し、前記基準色情報と前記表示色情報との色差を算出し、前記基準色情報と比較対象の色情報との色差の程度によって区分けされたランクテーブルを予め格納しておき、前記算出された色差に基づいて、前記ランクテーブルを参照し、前記モニタをランク付けするようにした。従って、モニタのカラー画像表示性能を統一の基準でランク付けすることができる。
【発明を実施するための最良の形態】
【００１７】
以下、本実施形態に係るモニタ検証システムの好適な一実施形態について、図面を参照しながら具体的に説明する。図１は、モニタ検証システムの構成図であり、図２は、モニタ検証システムが備える端末の構成図である。
【００１８】
図１に示すように、本実施形態に係るモニタ検証システム１００は、サーバ１と複数の端末２とをネットワークＮを介して接続する構成を有する。図２に示すように、端末２は、コンピュータ２１とモニタ２２と測色計２３と入力装置２５とから構成されている。
【００１９】
このモニタ検証システム１００では、端末２が備えるモニタ２２を測色計２３で測色し、測色により得られた表示色情報をサーバ１にネットワークＮを介して送信する。表示色情報が送信されたサーバ１は、予め保持している基準色情報と、送信された表示色情報との色差を算出して、その色差に基づきモニタ２２のカラー画像表示性能をランク付けする。
【００２０】
表示色情報及び基準色情報は、例えば、ＸＹＺ表色系である。ＸＹＺ表色系は、デバイスに依存しない色空間で、ＣＩＥ（Ｃｏｍｍｉｓｓｉｏｎ  Ｉｎｔｅｒｎａｔｉｏｎａｌ  ｄｅｌ´Ｅｃｌａｉｒａｇｅ：国際照明委員会）で定められたｘ−ｂａｒ，ｙ−ｂａｒ，ｚ−ｂａｒの分光特性で光量を積算して求められたものである。デバイスに依存しない色空間であればよく、その他、Ｌ＊ａ＊ｂ＊表色系等であってよい。
【００２１】
基準色情報は、予め定義されたＮ個のＸＹＺ表色系の数値であり、モニタ２２のカラー画像表示性能をランク付けする基準となるものである。本実施形態においては、基準となる色を有するＮ枚の基準印刷物を測色して得られたＸＹＺ表色系の数値である。
【００２２】
基準色情報がＮ枚の基準印刷物に基づく場合、Ｎ個のＸＹＺ表色系の数値は、０％、１０％、２０％、７０％、１００％の各網％のＣ（シアン）Ｍ（マゼンタ）Ｙ（イエロー）Ｋ（スミ）の組合せ毎の色を有する網点の基準有彩色画像データを出力した基準印刷物を測色したものである。すなわち、Ｎ個のＸＹＺ表色系の数値、及びＮ枚の基準印刷物は、１２５通りとなる。
【００２３】
又、所定階調、例えば０，６４，１２８，２５５の各階調のＲ（レッド）Ｇ（グリーン）Ｂ（ブルー）の組み合わせ毎の基準有彩色画像データを出力した基準印刷物を測色したものであってもよい。
【００２４】
その他、基準色情報は、例えばｓＲＧＢ色空間やＡｄｏｂｅＲＧＢ色空間等の原刺激値と基礎刺激値が公開された色空間のＮ個の任意の座標を、同様に原刺激値と基礎刺激値が公開されたＸＹＺ表色系に線形変換したものであってよい。
【００２５】
表示色情報は、基準色情報作成の際に用いた基準有彩色画像データから生成した有彩色画像データに基づく色をモニタ２２に表示した場合のモニタ２２上の表示色である。この有彩色画像データは、基準色情報が基準印刷物を測色したものである場合、基準有彩色画像データが示す色と基準印刷物が有する色との関係を示す線形マトリックスを用いて基準有彩色画像データが示す色と基準印刷物が有する色とを一致させる色変換と、モニタ２２の特性を補正する色変換とが予め施され、基準有彩色画像データに基準印刷物の色が忠実にフィードバックされ、生成されたものである。
【００２６】
すなわち、モニタ２２には、基準有彩色画像データに基づく色を表示させるが、表示させようとする色は基準印刷物の色である。従って、基準有彩色画像データを出力して基準印刷物を作成した際の出力特性による影響に伴う基準有彩色画像データが有する色と基準印刷物が有する色との違いを基準有彩色画像データにフィードバックしている。以下、基準有彩色画像データと有彩色画像データとを双方単に有彩色画像データと呼ぶ。
【００２７】
表示色情報を取得してサーバ１に当該表示色情報を送信する構成として、端末２は、図３に示すように、ＣＰＵ、ＲＯＭ、ＲＡＭ等のコンピュータ２１と、ＣＲＴ（ｃａｔｈｏｄｅ  ｒａｙ  ｔｕｂｅ）やＬＣＤ（ｌｉｑｕｉｄ  ｃｒｙｓｔａｌ  ｄｉｓｐｌａｙ）等のモニタ２２と、測色計２３と、モデム等の通信部２４と、キーボードやマウス等の入力装置２５とを備える。
【００２８】
コンピュータ２１では、ＲＯＭ又はＲＡＭに端末側モニタ検証プログラムが格納されており、当該端末側モニタ検証プログラムをＣＰＵが実行することで、制御手段２１ａ、色変換手段２１ｂが機能する。ＲＯＭ又はＲＡＭは有彩色画像データ記憶手段２１ｃとなり、基準色情報に準じた基準有彩色画像データがサーバ１から送信され、当該有彩色画像データ記憶手段２１ｃに格納される。基準色情報が基準印刷物の測色により得られる本実施形態の場合、有彩色画像データは、基準印刷物の画像データである。
【００２９】
制御手段２１ａは、モニタ２２、測色計２３、及び通信部２４を制御する。モニタ２２の制御は、本実施形態の場合、Ｎ個の有彩色画像データの順次表示である。測色計２３の制御は、モニタ２２の測色であり、Ｎ個の有彩色画像データを順次表示するモニタ２２上の表示色を順次数値化してＮ個の表示色情報を作成させる。通信部２４の制御は、表示色情報及び制御手段２１ａで作成した測色情報の送信、及びサーバ１から送信されるランク付けの受信である。
【００３０】
測色情報は、例えば、図５に示すように、装置操作者が入力装置２５を用いて、測色計名、フードの有無、環境光測定の有無と使用したファイル名、使用した有彩色画像データ、使用したプロファイル、表示色情報が含まれるファイル名等を入力することで、制御手段２１ａにより作成される。
【００３１】
色変換手段２１ｂは、制御手段２１ａがモニタ２２に有彩色画像データに基づく色を表示させる前段として、モニタ２２が表示する表示色が基準印刷物を忠実に再現するように有彩色画像データに色変換を施す。基準色情報が基準印刷物の測色により得られる場合は、基準印刷物と当該基準印刷物の有彩色画像データとのプリンタ特性に基づく乖離を補正する色変換と、モニタ２２の特性を補正する色変換を行う。双方の変換は、プロファイルを用いて行われる。
【００３２】
基準印刷物と当該基準印刷物の有彩色画像データとのプリンタ特性に基づく乖離を補正する色変換は、サーバ１から有彩色画像データとともに送信される、有彩色画像データが示す色の表色系と基準印刷物を測色して得られた表色系との関係を示す線形マトリックスを含む色変換プロファイルを用いる。
【００３３】
色変換プロファイルは、以下の関係式を含む。
［Ｒ，Ｇ，Ｂ］＝［Ａｍｎ］［Ｘ，Ｙ，Ｚ］
ここで、Ｘ、Ｙ、Ｚは、有彩色画像データが示すＣＭＹＫ各色データをＸＹＺ表色系に変換した値である。［Ａｍｎ］は、有彩色画像データが示す色と基準印刷物が有する色との差分を含んだ３×３の線形マトリックスである。
【００３４】
すなわち、［Ａｍｎ］は、以下の変換式の３×３の線形マトリクス［Ｂｍｎ］で表される差分と所定の線形マトリクスの積をとったものである。
［Ｘ，Ｙ，Ｚ］＝［Ｂｍｎ］［Ｘ´，Ｙ´，Ｚ´］
ここで、Ｘ、Ｙ、Ｚは、基準印刷物を測色して得たＸＹＺ表色系の三刺激値であり、Ｘ´、Ｙ´、Ｚ´は、変換前の有彩色画像データのＸＹＺ表色系の値である。
【００３５】
モニタ２２は、制御手段２１ａの制御によって、Ｎ個の基準色情報が有する色を忠実に再現したＮ個の有彩色画像データに基づく色を順次表示する。
【００３６】
測色計２３は、制御手段２１ａの制御によって、モニタ２２が順次表示する表示色を測色して、ＸＹＺ表色系におけるＸ、Ｙ、Ｚの三刺激値を測定し、Ｎ個の表示色情報を得る。三刺激値は、刺激値直読方法又は分光測色方法により測定される。尚、測色計２３は、各端末２，２・・・において異なる製品や機種であってもよい。
【００３７】
通信部２４は、制御手段２１ａの制御によって、測色計２３が得たＮ個の表示色情報を制御手段２１ａが生成した測色情報とともにサーバ１に送信する。
【００３８】
送信された表示色情報からモニタ２２のランク付けを行うサーバ１は、図４に示すように、図示しないＣＰＵ、ＲＯＭ、ＲＡＭ等のコンピュータ１１と、モデム等の通信部１２を備える。
【００３９】
コンピュータ１１は、ＲＯＭ又はＲＡＭにおいてサーバ側モニタ検証プログラムが格納されており、当該サーバ側モニタ検証プログラムをＣＰＵが実行することで、補正手段１１ｂ、算出手段１１ｅ、ランク付け手段１１ｇが機能する。ＲＯＭ又はＲＡＭは補正情報格納手段１１ｃと基準色情報格納手段１１ｄとランクテーブル１１ｆと有彩色画像データ記憶手段１１ｈと色変換プロファイル格納手段１１ｉとなり、ＲＡＭは表示色情報格納手段１１ａとなる。
【００４０】
表示色情報格納手段１１ａには、端末２から送出されたＮ個の表示色情報が格納される。補正情報格納手段１１ｃには、端末２が備える測色計２３が取得する数値の特性を補正する補正情報が格納されている。基準色情報格納手段１１ｄには、Ｎ個の基準色情報が格納される。ランクテーブル１１ｆは、色差の程度にランクを関連付けたテーブルである。有彩色画像データ記憶手段１１ｈには、Ｎ個の有彩色画像データが格納されている。色変換プロファイル格納手段１１ｉには、有彩色画像データが表す色と基準印刷物が有する色とを一致させる色変換プロファイルが格納される。
【００４１】
ランクテーブル１１ｆを図６に示す。図６に示すように、ランク付けテーブル１１ｆは、後述するΔＥ＊ａｂの数値に応じてランク付けしたものである。
【００４２】
ランクは、例えば、ランクＡ、ランクＢ、ランクＣ、ランク外に区分されている。ランクＡは、色校正確認に適するモニタ２２が分類され、ランクＢは、画像レイアウト確認までは好適であるモニタ２２が分類され、ランクＣは、一般的なモニタ２２が分類される。本実施形態では、ΔＥ＊ａｂが２以内である場合をランクＡに分類し、ΔＥ＊ａｂが５以内である場合をランクＢに分類し、ΔＥ＊ａｂが７以内である場合をランクＣに分類している。
【００４３】
補正手段１１ｂは、表示色情報と共に送信された測色情報より測色計名を取得し、その測色計名を有する測色計２３が示す表示色情報の特性を補正する。すなわち、表示色情報が示す値から測色計２３の製品特性や機種特性の影響を取り除く。
【００４４】
補正の際には、測色名と補正情報とを対にして格納している補正情報格納手段１１ｃから、測色計名を参照して補正情報を読み出し、同時に表示色情報格納手段１１ａから表示色情報を読み出す。補正情報は、表示色情報に含まれているＸＹＺ表色系の三刺激値を補正する係数又は加算値であり、補正手段１１ｂは、表示色情報に当該補正情報を乗じ、又は加減する。
【００４５】
算出手段１１ｅは、Ｎ個の表示色情報を表示色情報格納手段１１ａから順次読み出し、対応する基準色情報を基準色情報格納手段１１ｄから読み出し、順次色差を算出する。色差は、Ｌ＊ａ＊ｂ＊表色系で算出される。
【００４６】
Ｌ＊ａ＊ｂ＊は、デバイスに依存しない色空間で、ＣＩＥ（Ｃｏｍｍｉｓｓｉｏｎ  Ｉｎｔｅｒｎａｔｉｏｎａｌ  ｄｅｌ´Ｅｃｌａｉｒａｇｅ：国際照明委員会）で定められたｘ−ｂａｒ，ｙ−ｂａｒ，ｚ−ｂａｒの分光特性で光量を積算して求められたＸＹＺ表色系の値に基づく一般的なもので表色系の値である。
【００４７】
具体的には、算出手段１１ｅは、ＸＹＺ表色系の値をＬ＊ａ＊ｂ＊表色系の値に変換する。すなわち、明度指数Ｌ＊、クロマティクネス指数ａ＊及びｂ＊を以下に示すようにして求める。
【００４８】
Ｌ＊＝１１６（Ｙ／Ｙｎ）＾（１／３）−１６
（Ｎ＾Ｍは、ＮのＭ乗を示す。以下同じ。）
ａ＊＝５００〔（Ｘ／Ｘｎ）＾（１／３）−（Ｙ／Ｙｎ）＾（１／３）〕
ｂ＊＝２００〔（Ｙ／Ｙｎ）＾（１／３）−（Ｚ／Ｚｎ）＾（１／３）〕、
Ｘｎ、Ｙｎ、Ｚｎは、完全拡散反射面の三刺激値であり、Ｘ／Ｘｎ＞０．００８８５６、Ｙ／Ｙｎ＞０．００８８５６、Ｚ／Ｚｎ＞０．００８８５６により、算出する。
【００４９】
ただし、Ｘ／Ｘｎ、Ｙ／Ｙｎ、Ｚ／Ｚｎに０．００８８５６以下のものがある場合には、上述のａ＊、ｂ＊についての式の（Ｘ／Ｘｎ）＾（１／３）、（Ｙ／Ｙｎ）＾（１／３）、（Ｚ／Ｚｎ）＾（１／３）を、それぞれ７．７８７（Ｘ／Ｘｎ）＋１６／１１６、７．７８７（Ｙ／Ｙｎ）＋１６／１１６、７．７８７（Ｚ／Ｚｎ）＋１６／１１６に置き換えて算出する。
【００５０】
尚、Ｘｎ、Ｙｎ、Ｚｎは、光源により変化する値で、例えば、Ｄ５０光源の場合、
Ｘｎ＝９６．４１７、Ｙｎ＝１００、Ｚｎ＝８２．４８７である。
【００５１】
さらに、算出手段１１ｅは、Ｌ＊ａ＊ｂ＊表色系の値に変換されたＮ個の表示色情報とＮ個の基準色情報とを対応毎に読み出して、以下に従った演算を行い、それぞれの色差ΔＥ＊ａｂを得る。
【００５２】
ΔＥ＊ａｂ＝〔（ＬＩ＊−Ｌｓ＊）＾２＋（ａＩ＊−ａｓ＊）＾２＋（ｂＩ＊−ｂｓ＊）＾２〕＾（１／２）
（ＬＩ＊、ａＩ＊、ｂＩ＊は、Ｌ＊ａ＊ｂ＊表色系における表示色情報の座標を示し、Ｌｓ＊、ａｓ＊、ｂｓ＊は、Ｌ＊ａ＊ｂ＊表色系における基準色情報の指数を示す。）
【００５３】
ランク付け手段１１ｇは、算出手段１１ｅが算出した色差ΔＥ＊ａｂに基づいて、ランクテーブル１１ｆを参照しながら、ランク付けを行う。ランク付けは、Ｎ個の色差ΔＥ＊ａｂを平均したものをランク付けする。また、最大乖離の色差ΔＥ＊ａｂを検索して、検索した色差ΔＥ＊ａｂをランク付けしてもよい。
【００５４】
ランク付け手段１１ｇの行ったランク付けは、通信部１２を介して表示色情報が送出された端末２へ送信してもよい。
【００５５】
このようなモニタ検証システム１００における動作を図７乃至１０に示す。図７は、モニタ検証システム１００の全体動作を示し、図８は、端末２における測色動作を示し、図９は、サーバ１における色差算出動作を示し、図１０は、サーバ１におけるランク付け動作を示す。
【００５６】
まず、図７に示すように、モニタ検証システム１００では、ランク付けを行うモニタ２２を有する端末２に対し、サーバ１からネットワークＮを介して所定色を表すＮ個の有彩色画像データと色変換プロファイルが送信される（Ｓ１０１）。
【００５７】
サーバ１では、有彩色画像データ記憶手段１１ｈから有彩色画像データが読み出され、色変換プロファイル格納手段１１ｉから色変換プロファイルが読み出され、ランク付けを行う端末２へ通信部１２及びネットワークを介して送信される。データの送信先は、ランク付け要求が端末２の入力装置２５を用いて送信された場合の送信元端末２や、定期的なランク付け作業における全端末２に対してである。
【００５８】
端末２は、送信された有彩色画像データと色変換プロファイルを通信部２４を介して受け取ると、有彩色画像データ記憶手段２１ｃに一時的に記憶し、色変換手段２１ｂより読み出されて色変換が施され、制御手段２１ａにより有彩色画像データに基づく色をモニタ２２に順次表示させ、モニタ２２上の表示色を測色計２３により順次測色する（Ｓ１０２）。測色計２３が得たＮ個の表示色情報は、測色計２３の測色計名を含む測色情報とともにサーバ１へ通信部２４及びネットワークＮを介して送信される（Ｓ１０３）。
【００５９】
サーバ１は、通信部１２を介して送信されてきた表色情報と測色情報を表示色情報格納手段１１ａに格納する。補正手段１１ｂは、測色情報に記述されている測色計２３名に対応する補正情報に基づいて表示色情報を補正し、表示色情報への測色計２３の製品特性や機種特性の影響を取り除く（Ｓ１０４）。
【００６０】
基準色情報格納手段１１ｄに格納されている基準色情報と、補正後の表示色情報とが算出手段１１ｅに読み出され、色差ΔＥ＊ａｂが算出される（Ｓ１０５）。更に、ランク付け手段１１ｇにより、ランクテーブル１１ｆを参照して、算出された色差ΔＥ＊ａｂから表示色情報が送信された端末２が有するモニタ２２をランク付けされる（Ｓ１０６）。ランク付けの結果は、サーバ１より通信部１２とネットワークＮを介して表示色情報が送信された端末２に送信される（Ｓ１０７）。
【００６１】
Ｓ１０２におけるモニタ２２の測色について図８に基づき更に詳細に説明する。まず、制御手段２１ａは、カウント値ｉをｉ＝１にセットし（Ｓ２０１）、ｉ番目の有彩色画像データを選択する（Ｓ２０２）。
【００６２】
色変換手段２１ｂは、ｉ番目の有彩色画像データについて、共に送信された色変換プロファイルを参照して基準印刷物の有する色を表す有彩色画像データに変換し、更にモニタ２２の出力特性を反映した有彩色画像データに変換し、モニタ２２上の表示色を基準印刷物の有する色に近づける（Ｓ２０３）。
【００６３】
制御手段２１ａは、色変換後のｉ番目の有彩色画像データから表示信号を生成して、モニタ２２に入力し、モニタ２２上には、ｉ番目の有彩色画像データが表示される（Ｓ２０４）。
【００６４】
モニタ２２上にｉ番目の有彩色画像データに基づく色が表示されると、制御手段２１ａは、同期して測色計２３を制御し、測色計２３によりモニタ２２上の表示色がＸ、Ｙ、Ｚの三刺激値として測定され、ｉ番目の表示色情報が取得される（Ｓ２０５）。
【００６５】
制御手段２１ａは、カウント値ｉをｉ＝ｉ＋１とし（Ｓ２０６）、ｉが有彩色画像データの数であるＮを超えない限り（Ｓ２０７，Ｎｏ）、Ｓ２０２〜Ｓ２０６の動作を繰り返し、Ｎ個の表示色情報を取得する。
【００６６】
Ｓ１０５における色差算出動作について図９に基づき更に詳細に説明する。まず、算出手段１１ｅは、カウント値ＩをＩ＝１にセットし（Ｓ５０１）、Ｉ番目の表示色情報を表示色情報格納手段１１ａから読み出し、同時にＩ番目の基準色情報を基準色情報格納手段１１ｄから読み出す（Ｓ５０２）。
【００６７】
Ｉ番目の表示色情報と基準色情報は、算出手段１１ｅにて、ＸＹＺ表色系からＬ＊ａ＊ｂ＊表色系に変換される（Ｓ５０３）。
【００６８】
ここで、図１１は、算出手段１１ｅによりＬ＊ａ＊ｂ＊表色系に変換された表示色情報と基準色情報をＬ＊ａ＊ｂ＊表色系色度図上にプロットしたものである。図１１では、網点１００％のＣ及び網点０％のＭＹＫ、網点１００％のＭ及び網点０％のＣＹＫ、網点１００％のＹ及び網点０％のＣＭＫ、網点１００％のＫ及び網点０％のＣＭＹの表色情報と基準色情報を色度図上にプロットしている。Ｓは、基準色情報を示し、Ｉは、表示色情報を示す。図に示すように、モニタ２２のカラー画像表示性能によって、ＳとＩは異なる位置にプロットされ、ＳとＩの距離を算出することによりそのカラー画像表示性能が導かれる。
【００６９】
算出手段１１ｅは、Ｌ＊ａ＊ｂ＊表色系となったＩ番目の表示色情報と基準色情報から色差ΔＥ＊ａｂを算出する（Ｓ５０４）。算出したΔＥ＊ａｂは、ＲＡＭ等の記憶手段に一時的に記憶される。
【００７０】
算出手段２１ａは、カウント値ＩをＩ＝Ｉ＋１とし（Ｓ５０５）、Ｉが表示色情報や基準色情報の数であるＮを超えない限り（Ｓ５０６，Ｎｏ）、Ｓ５０２〜Ｓ５０５の動作を繰り返し、Ｎ個の色差ΔＥ＊ａｂを取得する。
【００７１】
Ｓ１０６におけるランク付け動作について図１０に基づき更に詳細に説明する。まず、ランク付け手段１１ｇは、ＲＡＭに一時的に保存されているＮ個の色差ΔＥ＊ａｂの平均値Ａｖを算出し（Ｓ６０１）、同時にランクテーブル１１ｆを読み込む。
【００７２】
次にランクテーブル１１ｆを参照し、例えば、平均値Ａｖ≦２であれば（Ｓ６０２，Ｙｅｓ）、対応するランクＡにランク付けする（Ｓ６０３）。平均値２＜Ａｖ≦５であれば（Ｓ６０４，Ｙｅｓ）、対応するランクＢにランク付けする（Ｓ５０５）。平均値５＜Ａｖ≦７であれば（Ｓ６０６，Ｙｅｓ）、対応するランクＣにランク付けする（Ｓ６０７）。平均値Ａｖが７より高い場合は、ランク外にランク付けする（Ｓ６０８）。
【００７３】
このようなモニタ認証システム１００では、サーバ１において、端末２が備えるモニタ２２の発色性能をランク付けすることができる。特に基準印刷物を測色して、当該基準印刷物を再現した基準色情報や有彩色画像データを用いて色差算出を行う場合、基準色情報を作成したデバイスに影響されない統一基準を下にランク付けを行うことができる。
【図面の簡単な説明】
【００７４】
【図１】本実施形態に係るモニタ検証システムのシステム構成を示す図である。
【図２】測色計が設置された端末装置を示す外観図である。
【図３】本実施形態に係る端末の機能ブロック図である。
【図４】本実施形態に係るサーバの機能ブロック図である。
【図５】本実施形態に係る測色情報の一例を示す図である。
【図６】本実施形態に係るランクテーブルを示す図である。
【図７】本実施形態に係るモニタ検証システムの動作を示すフローチャート図である。
【図８】本実施形態に係るモニタの測色動作を示すフローチャート図である。
【図９】本実施形態に係る色差算出動作を示すフローチャート図である。
【図１０】本実施形態に係るランク付け動作を示すフローチャート図である。
【図１１】本実施形態に係る色差を説明する図である。
【符号の説明】
【００７５】
１  サーバ
１１  コンピュータ
１１ａ  表示色情報格納手段
１１ｂ  補正手段
１１ｃ  補正情報格納手段
１１ｄ  基準色情報格納手段
１１ｅ  算出手段
１１ｇ  ランク付け手段
１１ｆ  ランクテーブル
１１ｈ  有彩色画像データ記憶手段
１１ｉ  色変換プロファイル格納手段
１２  通信部
２  端末
２１  コンピュータ
２１ａ  制御手段
２１ｂ  色変換手段
２１ｃ  有彩色画像データ記憶手段
２２  モニタ
２３  測色計
２４  通信部
２５  入力装置
１００  モニタ検証システム
Ｎ  ネットワーク
Ｓ  基準色情報
Ｉ  表示色情報
【図１】
2006166123.tif 000003
【図２】
2006166123.tif 000004
【図３】
2006166123.tif 000005
【図４】
2006166123.tif 000006
【図５】
2006166123.tif 000007
【図６】
2006166123.tif 000008
【図７】
2006166123.tif 000009
【図８】
2006166123.tif 000010
【図９】
2006166123.tif 000011
【図１０】
2006166123.tif 000012
【図１１】
2006166123.tif 000013